(57)【要約】【課題】充電時、負荷へ電流が流れないようにするとともに、蓄電装置に設けられる二つのコネクタのいずれか一つだけを用いても充電ができる蓄電装置を提供する。【解決手段】第一のコネクタ３ａと第二のコネクタ３ｂと導通部Ｄ１（又はＳＷ１）とを有する蓄電装置１は、第一のコネクタ３ａと第一のコネクタ３ａに接続される第一の充電コネクタ５ａとが接続されると、第一のコネクタ３ａの第二の端子２ｐは、第一の充電コネクタ５ａの一方の端子に接続され、第一のコネクタ３ａの第三の端子３ｐは、第一の充電コネクタ５ａの他方の端子に接続され、第二のコネクタ３ｂと第二のコネクタ３ｂに接続される第二の充電コネクタ５ｂとが接続されると、第二のコネクタ３ｂの第五の端子５ｐは、第二の充電コネクタ５ｂの一方の端子に接続され、第二のコネクタ３ｂの第六の端子６ｐは、第二の充電コネクタ５ｂの他方の端子に接続される。【選択図】図１
2018120740.tif 000002
【特許請求の範囲】
【請求項１】
第一のコネクタと第二のコネクタと導通部とを有し、
前記第一のコネクタは、第一の端子と第二の端子と第三の端子とを有し、
前記第二のコネクタは、第四の端子と第五の端子と第六の端子とを有し、
前記第一の端子は、負荷の一方の端子に接続され、
前記第二の端子は、前記導通部の一方の端子と前記第四の端子とに接続され、
前記第三の端子は、電池の一方の端子と前記負荷の他方の端子と前記第六の端子とに接続され、
前記第五の端子は、前記電池の他方の端子と前記導通部の他方の端子とに接続され、
前記第一のコネクタと前記第一のコネクタに接続される第一の充電コネクタとが接続されると、前記第二の端子は、前記第一の充電コネクタの一方の端子に接続され、前記第三の端子は、前記第一の充電コネクタの他方の端子に接続され、
前記第二のコネクタと前記第二のコネクタに接続される第二の充電コネクタとが接続されると、前記第五の端子は、前記第二の充電コネクタの一方の端子に接続され、前記第六の端子は、前記第二の充電コネクタの他方の端子に接続され、
前記第一のコネクタと前記第一のコネクタに接続される第一のジャンパプラグとが接続されると、前記第一の端子と前記第二の端子とは、前記第一のジャンパプラグのジャンパ線により短絡され、
前記第二のコネクタと前記第二のコネクタに接続される第二のジャンパプラグとが接続されると、前記第四の端子と前記第五の端子とは、前記第二のジャンパプラグのジャンパ線により短絡される、
ことを特徴とする蓄電装置。
【請求項２】
請求項１に記載の蓄電装置であって、
前記負荷の一方の端子が正極端子で他方の端子が負極端子で、前記電池の一方の端子が負極端子で他方の端子が正極端子で、前記導通部がダイオードである場合、前記ダイオードの一方の端子はアノード端子とし他方の端子はカソード端子とし、
又は、前記負荷の一方の端子が負極端子で他方の端子が正極端子で、前記電池の一方の端子が正極端子で他方の端子が負極端子で、前記導通部がダイオードである場合、前記ダイオードの一方の端子はカソード端子とし他方の端子はアノード端子とする、
ことを特徴とする蓄電装置。
【請求項３】
請求項１に記載の蓄電装置であって、
前記導通部がスイッチである場合、前記第一のコネクタに前記第一の充電コネクタが接続されると、前記スイッチが遮断状態から導通状態に移行する、
ことを特徴とする蓄電装置。
【発明の詳細な説明】
【技術分野】
【０００１】
本発明は、蓄電装置に関する。
【背景技術】
【０００２】
充電装置から蓄電装置へ供給する充電電流を増やす場合、充電電流が増えるのに応じて充電装置と蓄電装置とを接続する充電ケーブルの径が太くなる。そうすると充電ケーブルは曲げ難くなるとともに重量が増すため、利用者の作業性が低下する。そこで充電ケーブルを二つに分け、それぞれの充電ケーブルに流す充電電流を減らすことで、それぞれの充電ケーブルの径を細くし、それぞれの充電ケーブルを曲げ易くするとともに重量を減らすことで、利用者の作業性の低下を防止している。
【０００３】
関連する技術として特許文献１などがある。
【先行技術文献】
【特許文献】
【０００４】
【特許文献１】特開２０１４−１７６１２６号公報
【発明の概要】
【発明が解決しようとする課題】
【０００５】
しかしながら、充電ケーブルを二つに分けると、蓄電装置には、充電ケーブルそれぞれに設けられている充電コネクタと接続するためにコネクタが二つ必要となる。そこで蓄電装置に二つのコネクタを設ける場合でも、蓄電装置に設けられるコネクタと充電コネクタとが接続されているとき（充電時）は、負荷へ電流が流れないようにするとともに、蓄電装置に設けられる二つのコネクタのいずれか一つだけを用いても充電ができるようにしたい。
【０００６】
本発明の一側面に係る目的は、充電時、負荷へ電流が流れないようにするとともに、蓄電装置に設けられる二つのコネクタのいずれか一つだけを用いても充電ができる蓄電装置を提供することである。
【課題を解決するための手段】
【０００７】
本発明に係る一つの形態である蓄電装置は、第一のコネクタと第二のコネクタと導通部とを有する。第一のコネクタは、第一の端子と第二の端子と第三の端子とを有し、第二のコネクタは、第四の端子と第五の端子と第六の端子とを有する。
【０００８】
第一の端子は、負荷の一方の端子に接続され、第二の端子は、導通部の一方の端子と第四の端子とに接続され、第三の端子は、電池の一方の端子と負荷の他方の端子と第六の端子とに接続され、第五の端子は、電池の他方の端子と導通部の他方の端子とに接続される。
【０００９】
第一のコネクタと第一のコネクタに接続される第一の充電コネクタとが接続されると、第二の端子は、第一の充電コネクタの一方の端子に接続され、第三の端子は、第一の充電コネクタの他方の端子に接続される。また、第二のコネクタと第二のコネクタに接続される第二の充電コネクタとが接続されると、第五の端子は、第二の充電コネクタの一方の端子に接続され、第六の端子は、第二の充電コネクタの他方の端子に接続される。
【００１０】
第一のコネクタと第一のコネクタに接続される第一のジャンパプラグとが接続されると、第一の端子と第二の端子とは、第一のジャンパプラグのジャンパ線により短絡される。
第二のコネクタと第二のコネクタに接続される第二のジャンパプラグとが接続されると、第四の端子と第五の端子とは、第二のジャンパプラグのジャンパ線により短絡される。
【００１１】
なお、負荷の一方の端子が正極端子で他方の端子が負極端子で、電池の一方の端子が負極端子で他方の端子が正極端子で、導通部がダイオードである場合、ダイオードの一方の端子はアノード端子とし他方の端子はカソード端子とし、
又は、負荷の一方の端子が負極端子で他方の端子が正極端子で、電池の一方の端子が正極端子で他方の端子が負極端子で、導通部がダイオードである場合、ダイオードの一方の端子はカソード端子とし他方の端子はアノード端子とする。
【００１２】
また、導通部がスイッチである場合、第一のコネクタに第一の充電コネクタが接続されると、スイッチが遮断状態から導通状態に移行する。
【発明の効果】
【００１３】
充電時、負荷へ電流が流れないようにするとともに、蓄電装置に設けられる二つのコネクタのいずれか一つだけを用いても充電ができる。
【図面の簡単な説明】
【００１４】
【図１】実施形態１の蓄電装置の一実施例を示す図である。
【図２】変形例１の蓄電装置の一実施例を示す図である。
【図３】実施形態２の蓄電装置の一実施例を示す図である。
【図４】変形例２の蓄電装置の一実施例を示す図である。
【発明を実施するための形態】
【００１５】
以下図面に基づいて実施形態について詳細を説明する。
＜実施形態１＞
図１は、実施形態１の蓄電装置１の一実施例を示す図である。実施形態１の蓄電装置１は、充電装置２とモータＭＧ（負荷）と接続される。蓄電装置１は、コネクタ３ａ（第一のコネクタ）、コネクタ３ｂ（第二のコネクタ）、ダイオードＤ１（導通部）、電池Ｂ１を有する。
【００１６】
コネクタ３ａは、端子１ｐ（第一の端子）と端子２ｐ（第二の端子）と端子３ｐ（第三の端子）とを有する。また、コネクタ３ａは、電池Ｂ１からモータＭＧへ電力供給をしてモータＭＧを駆動する場合（放電時）にジャンパプラグ４ａと接続される。また、コネクタ３ａは、充電装置２から電池Ｂ１へ電力供給をして充電をする場合（充電時）に充電コネクタ５ａ（第一の充電コネクタ）と接続される。
【００１７】
コネクタ３ｂは、端子４ｐ（第四の端子）と端子５ｐ（第五の端子）と端子６ｐ（第六の端子）とを有する。また、コネクタ３ｂは、電池Ｂ１からモータＭＧへ電力供給をしてモータＭＧを駆動する場合（放電時）にジャンパプラグ４ｂと接続される。また、コネクタ３ｂは、充電装置２から電池Ｂ１へ電力供給をして充電をする場合（充電時）に充電コネクタ５ｂ（第二の充電コネクタ）と接続される。
【００１８】
電池Ｂ１は、例えば、ニッケル水素電池やリチウムイオン電池などの二次電池又は蓄電素子などである。
図１の蓄電装置１の回路について説明する。
【００１９】
コネクタ３ａの端子１ｐは、モータＭＧの正極端子（＋）に接続される。コネクタ３ａの端子２ｐは、ダイオードＤ１のアノード端子とコネクタ３ｂの端子４ｐとに接続される。コネクタ３ａの端子３ｐは、電池Ｂ１の負極端子（−）とモータＭＧの負極端子（−）とコネクタ３ｂの端子６ｐとに接続される。コネクタ３ｂの端子５ｐは、電池Ｂ１の正極端子（＋）とダイオードＤ１のカソード端子とに接続される。
【００２０】
コネクタ３ａとコネクタ３ａに接続される充電コネクタ５ａとが接続されると（充電時）、コネクタ３ａの端子２ｐは、充電コネクタ５ａの端子２ｐに接続され、コネクタ３ａの端子３ｐは、充電コネクタ５ａの端子３ｐに接続される。
【００２１】
なお、充電コネクタ５ａの端子２ｐは、充電ケーブル７ａの正極配線を介して充電装置２の正極端子（＋）に接続され、充電コネクタ５ａの端子３ｐは、充電ケーブル７ａの負極配線を介して充電装置２の負極端子（−）に接続される。
【００２２】
コネクタ３ｂとコネクタ３ｂに接続される充電コネクタ５ｂとが接続されると（充電時）、コネクタ３ｂの端子５ｐは、充電コネクタ５ｂの端子５ｐに接続され、コネクタ３ｂの端子６ｐは、充電コネクタ５ｂの端子６ｐに接続される。
【００２３】
なお、充電コネクタ５ｂの端子５ｐは、充電ケーブル７ｂの正極配線を介して充電装置２の正極端子（＋）に接続され、充電コネクタ５ｂの端子６ｐは、充電ケーブル７ｂの負極配線を介して充電装置２の負極端子（−）に接続される。
【００２４】
コネクタ３ａとコネクタ３ａに接続されるジャンパプラグ４ａとが接続されると、コネクタ３ａの端子１ｐとコネクタ３ａの端子２ｐとは、ジャンパプラグ４ａのジャンパ線６ａにより短絡される。
【００２５】
コネクタ３ｂとコネクタ３ｂに接続されるジャンパプラグ４ｂとが接続されると、コネクタ３ｂの端子４ｐとコネクタ３ｂの端子５ｐとは、ジャンパプラグ４ｂのジャンパ線６ｂにより短絡される。
【００２６】
図１の蓄電装置１の充電の動作について説明する。
（１）コネクタ３ａと充電コネクタ５ａとを接続し、コネクタ３ｂと充電コネクタ５ｂとを接続して充電をする場合（二つのコネクタ３ａ、３ｂを用いて充電をする場合）、充電装置２の充電ケーブル７ａの正極配線に接続される正極端子（＋）は、充電ケーブル７ａの正極配線、充電コネクタ５ａの端子２ｐ、コネクタ３ａの端子２ｐ、ダイオードＤ１のアノード端子、ダイオードＤ１のカソード端子を介し、電池Ｂ１の正極端子（＋）に接続される。
【００２７】
また、充電装置２の充電ケーブル７ａの負極配線に接続される負極端子（−）は、充電ケーブル７ａの負極配線、充電コネクタ５ａの端子３ｐ、コネクタ３ａの端子３ｐを介し、電池Ｂ１の負極端子（−）に接続される。
【００２８】
また、充電装置２の充電ケーブル７ｂの正極配線に接続される正極端子（＋）は、充電ケーブル７ｂの正極配線、充電コネクタ５ｂの端子５ｐ、コネクタ３ｂの端子５ｐを介し、電池Ｂ１の正極端子（＋）に接続される。
【００２９】
また、充電装置２の充電ケーブル７ｂの負極配線に接続される負極端子（−）は、充電ケーブル７ｂの負極配線、充電コネクタ５ｂの端子６ｐ、コネクタ３ｂの端子６ｐを介し、電池Ｂ１の負極端子（−）に接続される。
【００３０】
このように、二つのコネクタ３ａ、３ｂを用いて充電をする場合でも、ダイオードＤ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００３１】
（２）コネクタ３ｂとジャンパプラグ４ｂとが接続されていない状態で、コネクタ３ａと充電コネクタ５ａとを接続して充電をする場合（一つのコネクタ３ａを用いて充電をする場合）、充電装置２の充電ケーブル７ａの正極配線に接続される正極端子（＋）は、充電ケーブル７ａの正極配線、充電コネクタ５ａの端子２ｐ、コネクタ３ａの端子２ｐ、ダイオードＤ１のアノード端子、ダイオードＤ１のカソード端子を介し、電池Ｂ１の正極端子（＋）に接続される。
【００３２】
また、充電装置２の充電ケーブル７ａの負極配線に接続される負極端子（−）は、充電ケーブル７ａの負極配線、充電コネクタ５ａの端子３ｐ、コネクタ３ａの端子３ｐを介し、電池Ｂ１の負極端子（−）に接続される。
【００３３】
このように、コネクタ３ｂとジャンパプラグ４ｂとが接続されていない状態で、一つのコネクタ３ａを用いて充電をする場合でも、ダイオードＤ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００３４】
（３）コネクタ３ｂと充電コネクタ５ｂとを接続して充電をする場合（一つのコネクタ３ｂを用いて充電をする場合）、充電装置２の充電ケーブル７ｂの正極配線に接続される正極端子（＋）は、充電ケーブル７ｂの正極配線、充電コネクタ５ｂの端子５ｐ、コネクタ３ｂの端子５ｐを介し、電池Ｂ１の正極端子（＋）に接続される。
【００３５】
また、充電装置２の充電ケーブル７ｂの負極配線に接続される負極端子（−）は、充電ケーブル７ｂの負極配線、充電コネクタ５ｂの端子６ｐ、コネクタ３ｂの端子６ｐを介し、電池Ｂ１の負極端子（−）に接続される。
【００３６】
このように、一つのコネクタ３ｂを用いて充電をする場合でも、充電装置２から電池Ｂ１へ充電ができる。また、コネクタ３ａとジャンパプラグ４ａとが接続されない場合は、コネクタ３ｂの端子４ｐと接続されるモータＭＧの正極端子（＋）はオープン状態であるので、モータＭＧへ電流が流れないようにできる。また、コネクタ３ａとジャンパプラグ４ａとが接続される場合でも、ダイオードＤ１があるので、モータＭＧへ電流が流れないようにできる。
【００３７】
すなわち、ダイオードＤ１のアノード端子とコネクタ３ａの端子２ｐとを接続し、ダイオードＤ１のカソード端子とコネクタ３ｂの端子５ｐと電池Ｂ１の正極端子とを接続することで、蓄電装置１に設けられる二つのコネクタ３ａ、３ｂのいずれか一つだけを用いても充電ができる。また、コネクタ３ａ、３ｂにジャンパプラグ４ａ、４ｂを共に接続しないと、電池Ｂ１からモータＭＧへ電流が流れないようにできる。
【００３８】
＜変形例１＞
図２は、変形例１の蓄電装置２１の一実施例を示す図である。変形例１の蓄電装置２１は、充電装置２とモータＭＧ（負荷）と接続される。蓄電装置２１は、コネクタ３ａ（第一のコネクタ）、コネクタ３ｂ（第二のコネクタ）、スイッチＳＷ１（導通部）、電池Ｂ１、制御部２２を有する。実施形態１と変形例１との違いは、図１に示すダイオードＤ１を、図２に示すようにスイッチＳＷ１及び制御部２２に置き換えたことである。
【００３９】
スイッチＳＷ１は、例えば、リレー又は半導体素子などを用いることが考えられる。
制御部２２は、例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）を用いた回路が考えられる。
【００４０】
図２の蓄電装置２１の回路について説明する。なお、図１と同じ構成は説明を省略する。
コネクタ３ａの端子２ｐは、スイッチＳＷ１の一方の端子とコネクタ３ｂの端子４ｐとに接続される。コネクタ３ｂの端子５ｐは、電池Ｂ１の正極端子（＋）とスイッチＳＷ１の他方の端子とに接続される。
【００４１】
また、制御部２２は、コネクタ３ａと充電コネクタ５ａとが接続されたことを示す接続検知信号を取得し、スイッチＳＷ１を遮断状態から導通状態にする。
図２の蓄電装置２１の充電の動作について説明する。
【００４２】
（４）コネクタ３ａと充電コネクタ５ａとを接続し、コネクタ３ｂと充電コネクタ５ｂとを接続して充電をする場合（二つのコネクタ３ａ、３ｂを用いて充電をする場合）、スイッチＳＷ１は導通状態になり、充電装置２の充電ケーブル７ａの正極配線に接続される正極端子（＋）は、充電ケーブル７ａの正極配線、充電コネクタ５ａの端子２ｐ、コネクタ３ａの端子２ｐ、スイッチＳＷ１を介し、電池Ｂ１の正極端子（＋）に接続される。
【００４３】
また、充電装置２の充電ケーブル７ａの負極配線に接続される負極端子（−）は、充電ケーブル７ａの負極配線、充電コネクタ５ａの端子３ｐ、コネクタ３ａの端子３ｐを介し、電池Ｂ１の負極端子（−）に接続される。
【００４４】
また、充電装置２の充電ケーブル７ｂの正極配線に接続される正極端子（＋）は、充電ケーブル７ｂの正極配線、充電コネクタ５ｂの端子５ｐ、コネクタ３ｂの端子５ｐを介し、電池Ｂ１の正極端子（＋）に接続される。
【００４５】
また、充電装置２の充電ケーブル７ｂの負極配線に接続される負極端子（−）は、充電ケーブル７ｂの負極配線、充電コネクタ５ｂの端子６ｐ、コネクタ３ｂの端子６ｐを介し、電池Ｂ１の負極端子（−）に接続される。
【００４６】
このように、二つのコネクタ３ａ、３ｂを用いて充電をする場合でも、スイッチＳＷ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００４７】
（５）コネクタ３ｂとジャンパプラグ４ｂとが接続されていない状態で、コネクタ３ａと充電コネクタ５ａとを接続して充電をする場合（一つのコネクタ３ａを用いて充電をする場合）、スイッチＳＷ１は導通状態になり、充電装置２の充電ケーブル７ａの正極配線に接続される正極端子（＋）は、充電ケーブル７ａの正極配線、充電コネクタ５ａの端子２ｐ、コネクタ３ａの端子２ｐ、スイッチＳＷ１を介し、電池Ｂ１の正極端子（＋）に接続される。
【００４８】
また、充電装置２の充電ケーブル７ａの負極配線に接続される負極端子（−）は、充電ケーブル７ａの負極配線、充電コネクタ５ａの端子３ｐ、コネクタ３ａの端子３ｐを介し、電池Ｂ１の負極端子（−）に接続される。
【００４９】
このように、コネクタ３ｂとジャンパプラグ４ｂとが接続されていない状態で、一つのコネクタ３ａを用いて充電をする場合でも、スイッチＳＷ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００５０】
（６）コネクタ３ｂと充電コネクタ５ｂとを接続して充電をする場合（一つのコネクタ３ｂを用いて充電をする場合）、スイッチＳＷ１は遮断状態で、充電装置２の充電ケーブル７ｂの正極配線に接続される正極端子（＋）は、充電ケーブル７ｂの正極配線、充電コネクタ５ｂの端子５ｐ、コネクタ３ｂの端子５ｐを介し、電池Ｂ１の正極端子（＋）に接続される。
【００５１】
また、充電装置２の充電ケーブル７ｂの負極配線に接続される負極端子（−）は、充電ケーブル７ｂの負極配線、充電コネクタ５ｂの端子６ｐ、コネクタ３ｂの端子６ｐを介し、電池Ｂ１の負極端子（−）に接続される。
【００５２】
このように、一つのコネクタ３ｂを用いて充電をする場合でも、充電装置２から電池Ｂ１へ充電ができる。また、コネクタ３ａとジャンパプラグ４ａとが接続されない場合は、コネクタ３ｂの端子４ｐと接続されるモータＭＧの正極端子（＋）はオープン状態であるので、モータＭＧへ電流が流れないようにできる。また、コネクタ３ａとジャンパプラグ４ａとが接続される場合でも、スイッチＳＷ１が遮断状態であるので、モータＭＧへ電流が流れないようにできる。
【００５３】
すなわち、スイッチＳＷ１の一方の端子とコネクタ３ａの端子２ｐとを接続し、スイッチＳＷ１の他方の端子とコネクタ３ｂの端子５ｐと電池Ｂ１の正極端子とを接続することで、蓄電装置２１に設けられる二つのコネクタ３ａ、３ｂのいずれか一つだけを用いても充電ができる。また、コネクタ３ａ、３ｂにジャンパプラグ４ａ、４ｂを共に接続しないと、電池Ｂ１からモータＭＧへ電流が流れないようにできる。
【００５４】
＜実施形態２＞
図３は、実施形態２の蓄電装置３１の一実施例を示す図である。実施形態２の蓄電装置３１は、充電装置２とモータＭＧ（負荷）と接続される。蓄電装置３１は、コネクタ３ａ（第一のコネクタ）、コネクタ３ｂ（第二のコネクタ）、ダイオードＤ１（導通部）、電池Ｂ１を有する。
【００５５】
コネクタ３ａは、端子１ｐ（第一の端子）と端子２ｐ（第二の端子）と端子３ｐ（第三の端子）を有する。また、コネクタ３ａは、電池Ｂ１からモータＭＧへ電力供給をしてモータＭＧを駆動する場合（放電時）にジャンパプラグ４ａと接続される。また、コネクタ３ａは、充電装置２から電池Ｂ１へ電力供給をして充電をする場合（充電時）に充電コネクタ５ａ（第一の充電コネクタ）と接続される。
【００５６】
コネクタ３ｂは、端子４ｐ（第四の端子）と端子５ｐ（第五の端子）と端子６ｐ（第六の端子）を有する。また、コネクタ３ｂは、電池Ｂ１からモータＭＧへ電力供給をしてモータＭＧを駆動する場合（放電時）にジャンパプラグ４ｂと接続される。また、コネクタ３ｂは、充電装置２から電池Ｂ１へ電力供給をして充電をする場合（充電時）に充電コネクタ５ｂ（第二の充電コネクタ）と接続される。
【００５７】
図３の蓄電装置３１の回路について説明する。
コネクタ３ａの端子１ｐは、モータＭＧの負極端子（−）に接続される。コネクタ３ａの端子２ｐは、ダイオードＤ１のカソード端子とコネクタ３ｂの端子４ｐとに接続される。コネクタ３ａの端子３ｐは、電池Ｂ１の正極端子（＋）とモータＭＧの正極端子（＋）とコネクタ３ｂの端子６ｐとに接続される。コネクタ３ｂの端子５ｐは、電池Ｂ１の負極端子（−）とダイオードＤ１のアノード端子とに接続される。
【００５８】
コネクタ３ａとコネクタ３ａに接続される充電コネクタ５ａとが接続されると（充電時）、コネクタ３ａの端子２ｐは、充電コネクタ５ａの端子２ｐに接続され、コネクタ３ａの端子３ｐは、充電コネクタ５ａの端子３ｐに接続される。
【００５９】
なお、充電コネクタ５ａの端子２ｐは、充電ケーブル７ａの負極配線を介して充電装置２の負極端子（−）に接続され、充電コネクタ５ａの端子３ｐは、充電ケーブル７ａの正極配線を介して充電装置２の正極端子（＋）に接続される。
【００６０】
コネクタ３ｂとコネクタ３ｂに接続される充電コネクタ５ｂとが接続されると（充電時）、コネクタ３ｂの端子５ｐは、充電コネクタ５ｂの端子５ｐに接続され、コネクタ３ｂの端子６ｐは、充電コネクタ５ｂの端子６ｐに接続される。
【００６１】
なお、充電コネクタ５ｂの端子５ｐは、充電ケーブル７ｂの負極配線を介して充電装置２の負極端子（−）に接続され、充電コネクタ５ｂの端子６ｐは、充電ケーブル７ｂの正極配線を介して充電装置２の正極端子（＋）に接続される。
【００６２】
コネクタ３ａとコネクタ３ａに接続されるジャンパプラグ４ａとが接続されると、コネクタ３ａの端子１ｐとコネクタ３ａの端子２ｐとは、ジャンパプラグ４ａのジャンパ線６ａにより短絡される。
【００６３】
コネクタ３ｂとコネクタ３ｂに接続されるジャンパプラグ４ｂとが接続されると、コネクタ３ｂの端子４ｐとコネクタ３ｂの端子５ｐとは、ジャンパプラグ４ｂのジャンパ線６ｂにより短絡される。
【００６４】
図３の蓄電装置３１の充電の動作について説明する。
（７）コネクタ３ａと充電コネクタ５ａとを接続し、コネクタ３ｂと充電コネクタ５ｂとを接続して充電をする場合（二つのコネクタ３ａ、３ｂを用いて充電をする場合）、電池Ｂ１の負極端子（−）は、ダイオードＤ１のアノード端子、ダイオードＤ１のカソード端子、コネクタ３ａの端子２ｐ、充電コネクタ５ａの端子２ｐ、充電ケーブル７ａの負極配線、充電装置２の充電ケーブル７ａの負極配線に接続される負極端子（−）に接続される。
【００６５】
また、電池Ｂ１の正極端子（＋）は、コネクタ３ａの端子３ｐ、充電コネクタ５ａの端子３ｐ、充電ケーブル７ａの正極配線を介し、充電装置２の充電ケーブル７ａの正極配線に接続される正極端子（＋）に接続される。
【００６６】
また、電池Ｂ１の負極端子（−）は、コネクタ３ｂの端子５ｐ、充電コネクタ５ｂの端子５ｐ、充電ケーブル７ｂの負極配線を介し、充電装置２の充電ケーブル７ｂの負極配線に接続される負極端子（−）に接続される。
【００６７】
また、電池Ｂ１の正極端子（＋）は、コネクタ３ｂの端子６ｐ、充電コネクタ５ｂの端子６ｐ、充電ケーブル７ｂの正極配線を介し、充電装置２の充電ケーブル７ｂの正極配線に接続される正極端子（＋）に接続される。
【００６８】
このように、二つのコネクタ３ａ、３ｂを用いて充電をする場合でも、ダイオードＤ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００６９】
（８）コネクタ３ｂとジャンパプラグ４ｂとが接続されていない状態で、コネクタ３ａと充電コネクタ５ａとを接続して充電をする場合（一つのコネクタ３ａを用いて充電をする場合）、電池Ｂ１の負極端子（−）は、ダイオードＤ１のアノード端子、ダイオードＤ１のカソード端子、コネクタ３ａの端子２ｐ、充電コネクタ５ａの端子２ｐ、充電ケーブル７ａの負極配線、充電装置２の充電ケーブル７ａの負極配線に接続される負極端子（−）に接続される。
【００７０】
また、電池Ｂ１の正極端子（＋）は、コネクタ３ａの端子３ｐ、充電コネクタ５ａの端子３ｐ、充電ケーブル７ａの正極配線を介し、充電装置２の充電ケーブル７ａの正極配線に接続される正極端子（＋）に接続される。
【００７１】
このように、コネクタ３ｂとジャンパプラグ４ｂとが接続されていない状態で、一つのコネクタ３ａを用いて充電をする場合でも、ダイオードＤ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００７２】
（９）コネクタ３ｂと充電コネクタ５ｂとを接続して充電をする場合（一つのコネクタ３ｂを用いて充電をする場合）、電池Ｂ１の負極端子（−）は、コネクタ３ｂの端子５ｐ、充電コネクタ５ｂの端子５ｐ、充電ケーブル７ｂの負極配線を介し、充電装置２の充電ケーブル７ｂの負極配線に接続される負極端子（−）に接続される。
【００７３】
また、電池Ｂ１の正極端子（＋）は、コネクタ３ｂの端子６ｐ、充電コネクタ５ｂの端子６ｐ、充電ケーブル７ｂの正極配線を介し、充電装置２の充電ケーブル７ｂの正極配線に接続される正極端子（＋）に接続される。
【００７４】
このように、一つのコネクタ３ｂを用いて充電をする場合でも、充電装置２から電池Ｂ１へ充電ができる。また、コネクタ３ａとジャンパプラグ４ａとが接続されない場合は、コネクタ３ｂの端子４ｐと接続されるモータＭＧの正極端子（＋）はオープン状態であるので、モータＭＧへ電流が流れないようにできる。また、コネクタ３ａとジャンパプラグ４ａとが接続される場合でも、ダイオードＤ１があるので、モータＭＧへ電流が流れないようにできる。
【００７５】
すなわち、ダイオードＤ１のカソード端子とコネクタ３ａの端子２ｐとを接続し、ダイオードＤ１のアノード端子とコネクタ３ｂの端子５ｐと電池Ｂ１の負極端子とを接続することで、蓄電装置３１に設けられる二つのコネクタ３ａ、３ｂのいずれか一つだけを用いても充電ができる。また、コネクタ３ａ、３ｂにジャンパプラグ４ａ、４ｂを共に接続しないと、電池Ｂ１からモータＭＧへ電流が流れないようにできる。
【００７６】
＜変形例２＞
図４は、変形例２の蓄電装置４１の一実施例を示す図である。変形例２の蓄電装置４１は、充電装置２とモータＭＧ（負荷）と接続される。蓄電装置４１は、コネクタ３ａ（第一のコネクタ）、コネクタ３ｂ（第二のコネクタ）、スイッチＳＷ１（導通部）、電池Ｂ１、制御部２２を有する。実施形態２と変形例２との違いは、図３に示すダイオードＤ１を、図４に示すようにスイッチＳＷ１及び制御部２２に置き換えたことである。
【００７７】
スイッチＳＷ１は、例えば、リレー又は半導体素子などを用いることが考えられる。
制御部２２は、例えば、ＣＰＵ、マルチコアＣＰＵ、プログラマブルなデバイスを用いた回路が考えられる。
【００７８】
図４の蓄電装置４１の回路について説明する。なお、図３と同じ構成は説明を省略する。
コネクタ３ａの端子２ｐは、スイッチＳＷ１の一方の端子とコネクタ３ｂの端子４ｐとに接続される。コネクタ３ｂの端子５ｐは、電池Ｂ１の負極端子（−）とスイッチＳＷ１の他方の端子とに接続される。
【００７９】
また、制御部２２は、コネクタ３ａと充電コネクタ５ａとが接続されたことを示す接続検知信号を取得し、スイッチＳＷ１を遮断状態から導通状態にする。
図４の蓄電装置４１の充電の動作について説明する。
【００８０】
（１０）コネクタ３ａと充電コネクタ５ａとを接続し、コネクタ３ｂと充電コネクタ５ｂとを接続して充電をする場合（二つのコネクタ３ａ、３ｂを用いて充電をする場合）、スイッチＳＷ１は導通状態になり、電池Ｂ１の負極端子（−）は、スイッチＳＷ１、コネクタ３ａの端子２ｐ、充電コネクタ５ａの端子２ｐ、充電ケーブル７ａの負極配線、充電装置２の充電ケーブル７ａの負極配線に接続される負極端子（−）に接続される。
【００８１】
また、電池Ｂ１の正極端子（＋）は、コネクタ３ａの端子３ｐ、充電コネクタ５ａの端子３ｐ、充電ケーブル７ａの正極配線を介し、充電装置２の充電ケーブル７ａの正極配線に接続される正極端子（＋）に接続される。
【００８２】
また、電池Ｂ１の負極端子（−）は、コネクタ３ｂの端子５ｐ、充電コネクタ５ｂの端子５ｐ、充電ケーブル７ｂの負極配線を介し、充電装置２の充電ケーブル７ｂの負極配線に接続される負極端子（−）に接続される。
【００８３】
また、電池Ｂ１の正極端子（＋）は、コネクタ３ｂの端子６ｐ、充電コネクタ５ｂの端子６ｐ、充電ケーブル７ｂの正極配線を介し、充電装置２の充電ケーブル７ｂの正極配線に接続される正極端子（＋）に接続される。
【００８４】
このように、二つのコネクタ３ａ、３ｂを用いて充電をする場合でも、スイッチＳＷ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００８５】
（１１）コネクタ３ｂとジャンパプラグ４ｂとが接続されていない状態で、コネクタ３ａと充電コネクタ５ａとを接続して充電をする場合（一つのコネクタ３ａを用いて充電をする場合）、スイッチＳＷ１は導通状態になり、電池Ｂ１の負極端子（−）は、スイッチＳＷ１、コネクタ３ａの端子２ｐ、充電コネクタ５ａの端子２ｐ、充電ケーブル７ａの負極配線、充電装置２の充電ケーブル７ａの負極配線に接続される負極端子（−）に接続される。
【００８６】
また、電池Ｂ１の正極端子（＋）は、コネクタ３ａの端子３ｐ、充電コネクタ５ａの端子３ｐ、充電ケーブル７ａの正極配線を介し、充電装置２の充電ケーブル７ａの正極配線に接続される正極端子（＋）に接続される。
【００８７】
このように、コネクタ３ｂとジャンパプラグ４ｂとが接続されていない状態で、一つのコネクタ３ａを用いて充電をする場合でも、スイッチＳＷ１を介し、充電装置２から電池Ｂ１へ充電ができる。また、コネクタ３ａの端子１ｐと接続されるモータＭＧの正極端子（＋）はオープン状態であるので、モータＭＧへ電流が流れないようにできる。
【００８８】
（１２）コネクタ３ｂと充電コネクタ５ｂとを接続して充電をする場合（一つのコネクタ３ｂを用いて充電をする場合）、スイッチＳＷ１は遮断状態で、電池Ｂ１の負極端子（−）は、コネクタ３ｂの端子５ｐ、充電コネクタ５ｂの端子５ｐ、充電ケーブル７ｂの負極配線を介し、充電装置２の充電ケーブル７ｂの負極配線に接続される負極端子（−）に接続される。
【００８９】
また、電池Ｂ１の正極端子（＋）は、コネクタ３ｂの端子６ｐ、充電コネクタ５ｂの端子６ｐ、充電ケーブル７ｂの正極配線を介し、充電装置２の充電ケーブル７ｂの正極配線に接続される正極端子（＋）に接続される。
【００９０】
このように、一つのコネクタ３ｂを用いて充電をする場合でも、充電装置２から電池Ｂ１へ充電ができる。また、コネクタ３ａとジャンパプラグ４ａとが接続されない場合は、コネクタ３ｂの端子４ｐと接続されるモータＭＧの正極端子（＋）はオープン状態であるので、モータＭＧへ電流が流れないようにできる。また、コネクタ３ａとジャンパプラグ４ａとが接続される場合でも、スイッチＳＷ１が遮断状態であるので、モータＭＧへ電流が流れないようにできる。
【００９１】
すなわち、スイッチＳＷ１の一方の端子とコネクタ３ａの端子２ｐに接続し、スイッチＳＷ１の他方の端子とコネクタ３ｂの端子５ｐと電池Ｂ１の負極端子と接続することで、蓄電装置４１に設けられる二つのコネクタ３ａ、３ｂのいずれか一つだけを用いても充電ができる。また、コネクタ３ａ、３ｂにジャンパプラグ４ａ、４ｂを共に接続しないと、電池Ｂ１からモータＭＧへ電流が流れないようにできる。
【００９２】
なお、実施形態１、変形例１、実施形態２、変形例２では充電装置２が一台で、充電装置２に充電ケーブル７ａ、７ｂがある例について説明したが、二台の充電装置を用いて蓄電装置を充電してもよい。
【００９３】
また、本発明は、以上の実施の形態に限定されるものでなく、本発明の要旨を逸脱しない範囲内で種々の改良、変更が可能である。
【符号の説明】
【００９４】
１、２１、３１、４１  蓄電装置
２  充電装置
３ａ、３ｂ  コネクタ
４ａ、４ｂ  ジャンパプラグ
５ａ、５ｂ  充電コネクタ
６ａ、６ｂ  ジャンパ線
７ａ、７ｂ  充電ケーブル
２２  制御部
Ｂ１  電池
Ｄ１  ダイオード
ＭＧ  モータ
ＳＷ１  スイッチ
【図１】
2018120740.tif 000003
【図２】
2018120740.tif 000004
【図３】
2018120740.tif 000005
【図４】
2018120740.tif 000006